(57)【要約】【課題】  深剃りや皮膚にヒリヒリ感を発生させず、刃ヘッド部の小型化と使用感の向上を可能にする。【解決手段】  刃ユニット１６は、本体部１０に駆動軸２６と同軸に保持され外刃１４の下方から上方に向かって開く半球面上に位置するケース支持部５８を有するケース受台５０と、このケース受台５０のケース支持部５８に摺接して任意方向に揺動可能となるようにケース受台５０に保持され内刃４０の下方を囲む略碗状の揺動ケース４８と、この揺動ケース４８の上縁部に着脱可能に固定され外刃１４の外周縁に係合して外刃１４を一定範囲内で上下動自在に保持する外刃リング７６と、揺動ケース４８をケース受台５０と同軸位置に復帰させる復帰ばね７０と、を備える。【選択図】      図４
2006158519.tif 000002
【特許請求の範囲】
【請求項１】
モータを内蔵する本体部の上部に装着される外刃枠に略円盤状の外刃を上下動自在に保持し、この外刃の内側に下方から装填される内刃を前記モータにより回転駆動される駆動軸により外刃に向かって弾性をもって押圧しつつ回転駆動する刃ユニットを備えるロータリー式電気かみそりにおいて、
前記刃ユニットは、前記本体部に前記駆動軸と同軸に保持され前記外刃の下方から上方に向かって開く半球面上に位置するケース支持部を有するケース受台と、
このケース受台のケース支持部に摺接して任意方向に揺動可能となるようにケース受台に保持され前記内刃の下方を囲む略碗状の揺動ケースと、
この揺動ケースの上縁部に着脱可能に固定され前記外刃の外周縁に係合して外刃を一定範囲内で上下動自在に保持する外刃リングと、
前記揺動ケースを前記ケース受台と同軸位置に復帰させる復帰ばねと、
を備え、前記揺動ケースを前記ケース受台のケース支持部に摺動させることにより前記外刃と共に任意方向に揺動可能にしたことを特徴とするロータリー式電気かみそり。
【請求項２】
ケース受台のケース支持部が位置する半球面の中心は、外刃の表面の中心付近に位置する請求項１のロータリー式電気かみそり。
【請求項３】
ケース受台は上方に向かって開く半球面にほぼ沿って内径方向へのびる球面板部を持ち、揺動ケースには前記球面板部の下面に内径側から係合する舌状のフックが形成されている請求項１または２のロータリー式電気かみそり。
【請求項４】
揺動ケースはケース受台の球面板部の内径側を通り下方へ突出する円筒部を持ち、復帰ばねはこの円筒部とケース受台との間に装填された円錐コイルばねである請求項３のロータリー式電気かみそり。
【請求項５】
揺動ケースには、内径側から上方へ突出し先端が鉤状に内径側へ折曲した複数のフックが突設され、これらフックは外刃リングを揺動ケースから取外した時に内刃のボス部に係合して内刃が揺動ケースから脱落するのを防ぐ請求項１〜４のいずれかのロータリー式電気かみそり。
【請求項６】
外刃枠には複数の刃ユニットが保持され、各刃ユニットの外刃はそれぞれ独立に上下動自在かつ任意方向に揺動自在である請求項１〜５のいずれかのロータリー式電気かみそり。
【請求項７】
複数の外刃に対応する複数のケース受台は一体に形成されている請求項６のロータリー式電気かみそり。
【発明の詳細な説明】
【技術分野】
【０００１】
この発明は、略円盤状の外刃に内刃を摺接させつつ回転させ、外刃のスリットに進入した髭を内刃でカットするロータリー式電気かみそりに関するものである。
【背景技術】
【０００２】
この種の電気かみそりにおいては、外刃を上下に遊動可能（沈み込み可能）として剃り味を向上させたものが公知である。この場合に、外刃は上下方向だけでなく任意の方向に傾くようにして、外刃を髭剃り面の曲面にならって傾くようにすれば、外刃と髭剃り面との密着性が向上し、剃り味が一層向上する。
【０００３】
【特許文献１】特表平９−５０３４２４
【特許文献２】特開平２−２１３３７８
【特許文献３】実開平６−３１６６０
【０００４】
このように外刃を上下方向に遊動可能にすると共に任意の方向に傾動可能にするものは特許文献１に記載されている。ここには、外刃の外周を囲む皮膚支持リム（外刃リング）を設け、この皮膚支持リムに外刃の外径側へ突出するフランジ状の突部を設け、この突部の外周を半球面状として外刃ホルダ（外刃枠）側の半球面状の係合面に摺動可能に係合させるものである。なおこの皮膚支持リムは、外刃を強く皮膚に押し付けた時に外刃の外周縁が皮膚に深く沈み込んで過度に深剃りとなったり皮膚を傷めるのを防ぐ機能を有する。
【０００５】
特許文献２は刃ヘッドとモータとを一体化し、ヘッドとモータが本体部に対して任意方向に揺動可能にしたものであり、ここに刃ヘッドのハウジングと本体部とにそれぞれ球形シェルと球帽型軸受シェルとを形成し、両シェルを互いに摺動可能にしたものである。特許文献３は特許文献２と同様に刃ヘッドとモータとを一体化してこれらを本体部に対して揺動可能としたものであるが、ヘッドを４本のリンクで本体に連結し円錐コイルによりモータを外刃方向に押圧した点が特許文献２と異なるものである。
【発明の開示】
【発明が解決しようとする課題】
【０００６】
特許文献１のものは外刃の外周を囲む皮膚支持リムの外径側を外刃ホルダに摺動可能に係合させたものであるため、外刃とこれを囲む外刃ホルダとが径方向に大きくなることが避けられない。このため１つの外刃、内刃とこれらに付随する部品とからなる刃ユニットや刃ヘッド部が大型化する。また複数の刃ユニットを有する場合には、各刃ユニットの間隔が広がり、使用感が悪くなるという問題が生じる。
【０００７】
特許文献２，３のものは刃ヘッドとモータとが一体化されこれら全体が本体部に対して揺動するから、揺動部分が大型化し、ヘッド部が大きくなる。またこれらの外刃は上下方向（外刃の中心線方向）には遊動不可能であるため、外刃を皮膚に強く押圧すると外刃が皮膚に深く沈み込み、深剃りになったり皮膚を傷めるおそれもあった。特に特許文献１のような皮膚支持リムを持たないので一層深剃りになり易いという問題があった。
【０００８】
この発明はこのような事情に鑑みなされたものであり、皮膚支持リムの機能を持つ外刃リングを持ち深剃りや皮膚にヒリヒリ感を発生させるおそれがなく、刃ユニットの外径を小さくして刃ヘッド部の小型化を可能にし、また複数の刃ユニットを有する場合には刃ユニットの間隔を狭くして刃ヘッド部の小型化と使用感の向上が可能になるロータリー式電気かみそりを提供することを目的とする。
【課題を解決するための手段】
【０００９】
この発明によればこの目的は、モータを内蔵する本体部の上部に装着される外刃枠に略円盤状の外刃を上下動自在に保持し、この外刃の内側に下方から装填される内刃を前記モータにより回転駆動される駆動軸により外刃に向かって弾性をもって押圧しつつ回転駆動する刃ユニットを備えるロータリー式電気かみそりにおいて、前記刃ユニットは、前記本体部に前記駆動軸と同軸に保持され前記外刃の下方から上方に向かって開く半球面上に位置するケース支持部を有するケース受台と、このケース受台のケース支持部に摺接して任意方向に揺動可能となるようにケース受台に保持され前記内刃の下方を囲む略碗状の揺動ケースと、この揺動ケースの上縁部に着脱可能に固定され前記外刃の外周縁に係合して外刃を一定範囲内で上下動自在に保持する外刃リングと、前記揺動ケースを前記ケース受台と同軸位置に復帰させる復帰ばねと、を備え、前記揺動ケースを前記ケース受台のケース支持部に摺動させることにより前記外刃と共に任意方向に揺動可能にしたことを特徴とするロータリー式電気かみそり、により達成される。
【発明の効果】
【００１０】
外刃の外周は外刃リングで囲まれているから、外刃の外周縁が皮膚に深く沈み込んで深剃りとなったり、皮膚にヒリヒリ感を発生させるおそれがない。
【００１１】
また外刃リングは外刃および内刃の下方を下から覆う揺動ケースの上縁に着脱可能に固定され、この揺動ケースは外刃・内刃の下方に位置するケース受台のケース支持部に摺接して任意方向に揺動可能に保持されているから、これらケース支持部の球面上で揺動ケースは任意方向に揺動する。一方外刃は駆動軸により上方へ付勢された内刃により上方へ付勢されるから、外刃リングと外刃外周縁との上下可動範囲内で外刃は内刃と共に上下動可能である。このため外刃は皮膚の凹凸に滑らかに追従でき、剃り味が向上する。
【００１２】
外刃はその下方に位置する揺動ケース、ケース受台に揺動可能に保持されているので、刃ユニットは外刃の径方向の寸法が大きくならない。すなわちケース支持部は外刃の径方向外側でなく外刃の径内の下方に位置する。このため刃ヘッド部の小型化が図れる。また複数の刃ユニットを有する場合には刃ユニットの間隔を狭くしてヘッドの小型化と使用感の向上が可能になる。
【発明を実施するための最良の形態】
【００１３】
揺動ケースの揺動中心、すなわちケース受台のケース支持部が位置する半球面の中心は、外刃の表面中心付近に位置させるのが望ましい（請求項２）。この場合には外刃はその表面中心付近の支点（Ｐ）を中心に揺動するから外刃の揺動が円滑である。
【００１４】
ケース受台には上方に向かって開く半球面にほぼ沿って内径方向へのびる球面板部を設け、このケース受台に保持される揺動ケースにはケース受台の球面板部の下面に内径側から摺動可能に係合する舌状のフックを設けておくことができる（請求項３）。この場合は駆動軸が外刃を上方に押圧する反力をこのフックで受けるから、外刃の可動範囲を大きくし動きを滑らかにすることができる。
【００１５】
揺動ケースには、ケース受台の球面板部の内径側を通り下方へ突出する円筒部を設け、この円筒部とケース受台との間に揺動ケースを復帰させる復帰ばねとなる円錐コイルばねを装填しておけば、極めて簡単な構成でこの揺動ケースの傾きを戻して正立位置へ復元させる十分な復元力を発生させるのに適する（請求項４）。
【００１６】
揺動ケースには内径側から上方に突出し先端が鉤状に内径側へ折曲した複数のフックを設け、これらのフックが内刃が揺動ケースから上方へ脱出するのを防止しておけば、外刃リングを揺動ケースから取外して内刃付近を掃除する際に内刃が揺動ケースに保持される。このため内刃を揺動ケースに保持したまま刃先を掃除でき、作業性が良い（請求項５）。
【００１７】
外刃枠には複数の刃ユニットを保持し、各刃ユニットの外刃をそれぞれ独立に上下動自在かつ任意方向に揺動自在とすれば、能率良く髭を剃ることができる（請求項６）。各刃ユニットは径方向に小さいから各外刃の間隔を狭くし、刃ヘッド部の髭剃り面を小さくして刃ヘッド部の小型化が可能であり、使用し易くなる。この場合には複数の刃ユニットに備えるケース受台を一体に形成することができる（請求項７）。ケース受台を一体成形すれば部品点数が減り、組立・分解が容易になるばかりでなく、構造が簡単になる。
【実施例１】
【００１８】
図１は本発明の一実施例の外観斜視図、図２はその刃ヘッド部の拡大斜視図、図３は同じく分解斜視図、図４は１つの刃ユニットの側断面図、図５は１つの刃ユニットを外刃と内刃を除いて示す分解斜視図である。図６は同じく分解側断面図であり、図６の（Ａ）と（Ｂ）は異なる方向（９０°異なる方向）から断面したものである。図７は揺動ケースとケース受台との組合せ状態を示す平面図、図８は同じく一部省いて示す側断面図、図９は外刃および揺動ケースが傾いた状態を示す側断面図である。
【００１９】
図１において符号１０は本体部、１２はその上部に開閉可能または着脱可能に取り付けられた刃ヘッド部である。この刃ヘッド部１２は、外刃１４，後記する内刃揺動ケース４８，ケース受台５０などで形成される刃ユニット１６（図４，９参照）を３組内蔵する。３つの刃ユニット１６に対応する３つの外刃１４は正三角形の頂点に位置する。
【００２０】
刃ヘッド部１２は本体部１０に対して上方へ開閉可能または着脱可能な外刃枠１８を持つ。外刃枠１８には外刃１４が突出可能な３つの外刃装着孔２０が形成されている（図３参照）。外刃１４は金属板で作られ、略円盤形のキャップ状である。外刃１４の円形部分には多数のスリット２２（図４）がほぼ放射状に形成されている。
【００２１】
本体部１０の上面には略三角形の基板２４が嵌め込まれている。この基板２４からは各外刃１４の中心軸の下方に位置する３本の駆動軸２６が上方に向かって突出している。駆動軸２６は図４に示すように、本体部１０に内蔵する電動モータ（図示せず）により回転駆動される回転軸３０と、この回転軸３０に固定された下ジョイント３２と、この下ジョイント３２に揺動可能に係合する上ジョイント３４と、この上ジョイント３４を上向きに付勢する圧縮コイルばね３６と、これら下ジョイント３２と上ジョイント３４の結合部を包むジョイントキャップ３８とを持つ。
【００２２】
ここに下ジョイント３２の上部は拡径した円筒に軸方向に複数の溝３２ａを形成したものである。上ジョイント３４の下部はこの円筒内に進入し、この進入部の外周に突設した複数の突起３４ａを溝３２ａに内径側から係合させる。コイルばね３６の下部は下ジョイント３２の円筒内に突出する回転軸３０の外周に案内されて円筒の内底面に当接する。コイルばね３６の上部は上ジョイント３４に形成したばね装填室３４ｂの内頂面に当接する。ジョイントキャップ３８は下ジョイント３２の円筒の外周を囲むと共に円筒の下面および開口縁に係合して軸方向の移動が規制される。この結果上ジョイント３４の突起３４ａが溝３２ａから上方へ脱出するのが規制される。なお上ジョイント３４の上端には側面視略球形かつ平面視略四角形の係合頭部３４ａが形成されている。
【００２３】
内刃４０は下方に開くカップ状に形成された樹脂製のボス部４２と、このボス部４２を囲んで周方向に等間隔に環状に固定された多数の刃体４４とを持つ。多数の刃体４４は環状に連結したものであってもよい。
【００２４】
前記外刃１４の内面（下面）には図４に示すように、径が異なる２つの環状のトラック１４ａ、１４ｂが形成され、内刃４０の刃体４４は上部が二股状に分岐し、これら分岐した部分すなわち２つの小刃４４ａ、４４ｂがそれぞれトラック１４ａ、１４ｂに下方から摺接する。なお外刃１４の中央部には下方に開く係合孔を持つキャップ４６が固着され、この係合孔に内刃４０のボス部４２の上端が係入して、内刃４０の軸振れが防止される。ボス部４２には下方に開く平面視四角形の係合孔４２ａが形成され、ここに前記駆動軸２６の上ジョイント３４に形成した四角球状の係合頭部３４ａが下から係入する。
【００２５】
４８は揺動ケース、５０はケース受台である。揺動ケース４８は図５に示すように、上方に開く略碗状に形成されて、各刃ユニット１６ごとに別々に分かれている。すなわち３個の揺動ケース４８を持つ。ケース受台５０は３つの刃ユニット１６に対応する３つが連結されて一体化されている。
【００２６】
ケース受台５０は、本体部１０に固定される外刃枠１８に駆動軸２６と同軸となるように保持される。すなわちケース受台５０の中央にはつまみ５２が貫通し、このつまみ５２には先端が平面視（図４のＡ−Ａ断面図参照）で三角形に形成された係合部５２ａが一体に形成あるいは固定されている。この係合部５２ａは、外刃枠１８の中央内面に突設した平面視三角形の柱部１８ａに下方から進入し、この柱部１８ａの側壁に設けた３つの係合孔１８ｂに係合可能である。
【００２７】
すなわちつまみ５２をつかみ、係合部５２ａの三角形を柱部１８ａの三角形に一致させて挿入し、約６０°回転することにより係合部５２ａの三角形の頂点付近を柱部１８ａの係合孔１８ｂに係合させることができる。なお柱部１８ａの中にはコイルばね５４が装填され、このコイルばね５４は係合部５２ａを係合孔１８ｂに係合させた状態で係合部５２ａを下方に押圧し、つまみ５２が柱部１８ａから外れるのを防止する。
【００２８】
つまみ５２の上端には、ケース受台５０の上面に係合する爪５２ｂが形成され、ケース受台５０の下面とつまみ５２の下端フランジ部との間にコイルばね５６が縮装されている。この結果ケース受台５０は爪５２ｂとコイルばね５６との間に挟まれた状態でつまみ５２に保持される。
【００２９】
このように本体部１０側に保持されるケース受台５０の上面には、駆動軸２６の中心線の上方、すなわち外刃１４の中央上面付近の支点Ｐを中心とする半球面上に位置する複数のケース支持部５８が形成されている（図５参照）。すなわちケース受台５０は中心線を挟んで対象な位置から内径方向へのびる平面視弧状かつ球面状の球面板部６０を一対持ち、両球面板部６０の周方向の両縁が上方へ僅かに突出した突条となり、これら合計４つの突条がケース支持部５８となっている。これらケース支持部５８は外刃の径内でその下方に位置する。
【００３０】
前記揺動ケース４８は、ケース受台５０に上方から装着されその下面が略半球面状に形成され４つのケース支持部５８に摺動自在に支持される。またこの揺動ケース４８には、ケース受台５０の球面板部６０の内径側からこの球面板部６０の下面に係合する舌状のフック６２が形成されている。このフック６２は、各球面板部６０に対して１つずつ、合計で２つ形成される。揺動ケース４８はケース保持台５０に上方から挿入され、一方のフック６２を一方の球面板部６０の下面に入れて球面に沿わせて一方に大きく傾けた状態で、他方のフック６２を他方の球面板部６０の内周縁に形成した切欠き６４（図５，６）を通すことによりケース受台５０に装着される。
【００３１】
この状態で、揺動ケース４８は、２つのフック６２によって上方に抜け落ちるのを防止されつつ、ケース支持部５８に上方から摺接しつつ球面上を摺動する。なおケース受台５０の球面板部６０の下面にはフック６２に係合して揺動ケース４８が周方向に過大に回動するのを規制する突起６６（図５，８）が形成されている。
【００３２】
揺動ケース４８はケース受台５０の球面板部６０の内径側を通り下方へ突出する円筒部６８（図４〜８）を持ち、この円筒部６８の下縁とケース受台５０との間には円錐コイルばね７０が装填されている。このコイルばね７０は、揺動ケース４８を垂直位置（図４）に復帰させる復元力を付与する。
【００３３】
また揺動ケース４８の円筒部６８の上縁には上方へ４本のフック７２が突出している。このフック７２は外径方向へ弾性を持って湾曲可能であり、先端が鉤状に内径側に折曲し、この先端は内刃４０のボス部４２の下部外周に形成した環状凸部７４（図４，６）に十分な間隙をもって対向し、内刃４０が揺動ケース４８から脱落するのを防ぐ。
【００３４】
揺動ケース４８の上部開口には外刃１４および外刃リング７６が着脱可能に取付けられる。外刃リング７６は外刃１４の外周に設けたフランジ１４ｃ（図４）に上方から係合して外刃１４の外周を囲み、外刃リング７６の下縁に突設した２本のフック７８を揺動ケース４８の外周に設けた折曲係合溝８０に上方から係合させることにより揺動ケース４８に取付けられる。
【００３５】
すなわち折曲係合溝８０は上方に開き下部がＬ字状に周方向に折曲している一方、外刃リング７６のフック７８の下端をこの折曲係合溝８０に上方から係入し、外刃リング７６を折曲係合溝８０に沿わせて周方向に回動する。なお外刃１４のフランジ１４ｃは外刃リング７６に対して下方へ一定量移動可能である。
【００３６】
次にこの実施例の動作を説明する。図４の状態、すなわち外刃１４に外力が加わっていない時には、駆動軸２６の上ジョイント３４はコイルばね３６により上方へ付勢されるから、内刃４０，外刃１４が上向きに付勢される。外刃１４のフランジ１４ｃは外刃リング７６，揺動ケース４８を上向きに付勢する。揺動ケース４８のフック６２はケース受台５０の球面板部６０の下面に係合しているから、このフック６２によりは刃ユニット１６が上方へ突出するのが規制され図４の位置に維持される。
【００３７】
なおこのケース受台５０はつまみ５６の爪５２ｂに係止しているので、ケース受台５０は上方へ移動しない。またこのつまみ５６を下方に押すコイルばね５４（三角形の柱部１８ａに装填したコイルばね５４）は、駆動軸２６のコイルばね３６に比べて十分に大きいばね定数を持つものとする。駆動軸２６の回転により内刃４０が回転し、外刃１４のスリット２２に入った髭は内刃４０でカットされる。
【００３８】
外刃１４の中央または全面に図４で垂直下向きの外力が加わると、外刃１４は駆動軸２６を圧縮しつつ外刃リング７６に対して一定範囲内で下降する。すなわち外刃１４の下降量は外刃１４のフランジ１４Ｃが係入した外刃リング７６側の溝の上下方向の幅の範囲内に制限される。
【００３９】
外刃１４の外周の一部（中央から偏位した位置）に下向きの外力が加わると、外刃１４が傾き、この時外刃リング７６と共に揺動ケース４８が揺動する。すなわち揺動ケース４８の下面がケース受台５０のケース支持部５８上を摺動する。この時外刃１４は外刃１４の上面中央付近の支点Ｐを中心にして円錐コイルばね７０を半径方向に圧縮しつつ揺動する（図９）。このため外刃１４は皮膚の凹凸に忠実に追従して傾き、素晴らしい剃り味を得ることができる。
【００４０】
このように外刃１４，揺動ケース４８が傾く時には、図９に示すように駆動軸２６の上ジョイント３４は反対方向に傾く。この状態で駆動軸２６の回転は内刃４０に伝えられ、内刃４０の小刃４０ａ、４０ｂが外刃１４のトラック１４ａ、１４ｂ内面（下面）に摺接しつつ回転し、髭がカットされる。
【００４１】
外刃１４に加わっている外力が無くなると、円錐コイルばね７０により揺動ケース４８は復帰方向に押し戻される。この時駆動軸２６も図４の垂直位置に復帰する。この結果図４の状態に戻る。
【図面の簡単な説明】
【００４２】
【図１】本発明の一実施例の外観斜視図
【図２】その刃ヘッド部の拡大斜視図
【図３】同じく分解斜視図
【図４】１つの刃ユニットの側断面図
【図５】１つの刃ユニットを外刃と内刃を除いて示す分解斜視図
【図６】同じく異なる方向から断面した２つの分解側断面図（Ａ）、（Ｂ）
【図７】揺動ケースとケース受台との組合せ状態を示す平面図
【図８】同じく一部省いて示す側断面図
【図９】外刃および揺動ケースが傾いた状態を示す側断面図
【符号の説明】
【００４３】
１０  本体部
１２  ヘッド部
１４  外刃
１６  刃ユニット
１８  外刃枠
２６  駆動軸
４０  内刃
４８  揺動ケース
５０  ケース受台
５８  ケース支持部
６０  球面板部
６２  舌状フック
６８  円筒部
７０  円錐コイルばね（復帰ばね）
７２  先端が鉤状のフック
７６  外刃リング
Ｐ  刃ユニットの揺動中心
【図１】
2006158519.tif 000003
【図２】
2006158519.tif 000004
【図３】
2006158519.tif 000005
【図４】
2006158519.tif 000006
【図５】
2006158519.tif 000007
【図６】
2006158519.tif 000008
【図７】
2006158519.tif 000009
【図８】
2006158519.tif 000010
【図９】
2006158519.tif 000011